(57)【要約】【課題】  従来技術では、複数データを同時再生しようとした場合、記録時にあらかじめ決めた同期信号を基準に記録しなければならない。また、時刻的に非同期の複数データを同時再生しようとした場合、表示に時刻的なずれが発生する。【解決手段】  少なくとも２種類の映像音声符号化データの復号化処理を行ない、各映像音声符号化データに対する時刻情報及び復号化音声情報及び復号化音声レベル情報を抽出し、復号化音声レベル情報のパターン一致比較による各復号化音声情報の時刻差抽出を行ない、時刻差を元に前記時刻情報を補正した映像音声符号化データを生成することで、時刻的に同期の取れた映像音声符号化データを生成し、時刻的に同期の取れた同時表示を実現する。【選択図】  図４
2011229166.tif 000002
【特許請求の範囲】
【請求項１】
複数の映像音声符号化データの復号化処理を行ない、各映像音声符号化データに対する
時刻情報及び復号化音声情報及び復号化音声レベル情報を抽出する復号化部と、
復号化音声レベル情報のパタン一致比較による各復号化音声情報の時刻差抽出を行ない
、時刻差を元に前記時刻情報を補正した映像音声符号化データを生成することを特徴とす
る編集部とで構成されること
を特徴とする、映像音声符号化データ編集装置。
【発明の詳細な説明】
【技術分野】
【０００１】
本発明は映像音声符号化データ編集装置に関する。
【背景技術】
【０００２】
従来の技術では、複数の記録済みビデオカメラデータを再生する際に、それぞれ独立に再生して表示する方式がある。また、複数の映像音声復号化データを同時に１画面内に表示する場合、基準となる同期信号を記録装置に配信し、記録装置側では配信された同期信号を元に互いに同じ時間の中で記録する。（例えば、特許文献１参照）
【先行技術文献】
【特許文献】
【０００３】
【特許文献１】特開平８-２１４２５５号公報（第１頁、図１）
【発明の概要】
【発明が解決しようとする課題】
【０００４】
上記従来技術では、複数の記録済みビデオカメラデータを再生する際に、各ビデオカメラに基準となる同期信号を配信する必要があり、さまざまなビデオカメラに対して共通仕様としなければならず、現状出回っているビデオカメラでは対応していない。従って、異なる機種のビデオカメラで記録した複数の映像音声符号化データを同時再生しようとした場合、表示に時刻的なずれが発生する。
【課題を解決するための手段】
【０００５】
上記課題は、一例として特許請求の範囲記載の構成により解決される。
【０００６】
具体的には、少なくとも２種類の映像音声符号化データの復号化処理を行ない、各映像音声符号化データに対する時刻情報及び復号化音声情報及び復号化音声レベル情報を抽出し、復号化音声レベル情報のパタン一致比較による各復号化音声情報の時刻差抽出を行ない、時刻差を元に前記時刻情報を補正した映像音声符号化データを生成することで、時刻的に同期の取れた映像音声符号化データを生成し、時刻的に同期の取れた同時表示を実現する。
【発明の効果】
【０００７】
本発明によれば、データの適切な再生動作を実現できる。
【図面の簡単な説明】
【０００８】
【図１】図４に示す映像音声符号化データ編集装置２００周辺環境の一例を示す
【図２】図４に示す映像音声符号化データ編集装置２００を用いた周辺環境の一例を示す
【図３】本実施例を具体化するシステムのメニュー画の一例である
【図４】本実施例を具体化するシステムの典型的な一例である
【図５】図４に示す映像音声符号化データ編集装置２００における編集部２０２の一例である
【図６】図４に示す映像音声符号化データ編集装置２００における編集部２０２の別の一例である
【図７】図５に示す編集部２０２における音声復号化情報３０３のレベル図の一例である
【図８】図５に示す編集部２０２における音声復号化情報３０３のレベル図の別の一例である
【図９】図５に示す編集部２０２における音声復号化情報４０１のレベル図の別の一例である
【図１０】図５に示す編集部２０２における音声復号化情報４０２のレベル図の別の一例である
【図１１】本実施例を具体化するシステムフローの典型的な一例である
【図１２】図１１に示す編集６５の詳細な一例である。
【図１３】図１２に示す時刻ズレ検出７０の詳細な一例である。
【図１４】図１１に示す取り込み６６の詳細な一例である。
【図１５】本実施例を具体化するシステムのメニュー画の別の一例である
【図１６】本実施例を具体化するシステムのメニュー画の別の一例である
【図１７】本実施例を具体化するシステムのメニュー画の別の一例である
【図１８】本実施例を具体化するシステムの表示画の一例である。
【図１９】本実施例を具体化するシステムの表示画の別の一例である。
【図２０】本実施例を具体化するシステムの表示画の別の一例である。
【図２１】本実施例を具体化するシステムのメニュー画の別の一例である
【発明を実施するための形態】
【０００９】
以下、本発明の実施の形態を、図面を用いて説明する。
【００１０】
図１及び図２は、本実施例を具体化するシステムの典型的な一例である。
【００１１】
本実施の形態は、結婚式披露宴において、外部映像音声記録機器１０ａ、１０ｂ、１０ｃ、１０ｄ、１０ｅを用いて、同一または異なる時刻に、同一または異なる場所で各々独立に撮影された記録データ（映像音声符号化データ）の時刻差を補正するシステムに関するものである。
【００１２】
図２の編集機器１１は、外部映像音声記録機器１０ａ、１０ｂ、１０ｃ、１０ｄ、１０ｅを順次接続し、記録データ（映像音声符号化データ）を取込み、各映像音声符号化データに対する時刻情報及び復号化音声情報及び復号化音声レベル情報を抽出し、復号化音声レベル情報のパタン一致比較による各復号化音声情報の時刻差抽出を行ない、時刻差を元に前記時刻情報を補正した映像音声符号化データを生成し、編集機器１１が有する記録メディア（一例としてＨＤＤ、光ディスク、半導体メモリ）に記録するブロックである。また、記録された映像音声符号化データをモニタ１２に出力し、表示させるブロックである。複数の映像音声符号化データをモニタ１２に表示させても良い。図２０は、２種類の映像音声符号化データを同時にモニタに表示した一例である。
【００１３】
また、図４は、図１のシステムの基本的な構成図である。
３種類の映像音声符号化情報３００を順次入力し、蓄積部２０７に蓄積する。３種類の映像音声符号化情報を３００ａ、３００ｂ、３００ｃとする。蓄積部２０７の一例としてハードディスクや半導体メモリ、光ディスク等がある。最初に時刻基準となる映像音声符号化情報３００ａを蓄積部２０７から読み出し、映像音声復号化部２０１にて復号化処理を行ない、時刻情報３０２（以後３０２ａとする）と音声復号化情報３０３（以後３０３ａとする）を抽出して編集部２０２に供給する。時刻情報３０２は、映像音声復号化情報の開始時刻または終了時刻を示す情報である。
【００１４】
編集部では、時刻基準となる映像音声符号化情報３００ａに対する時刻情報３０２ａ及び音声復号化情報３０３ａを保持する。引き続き時刻基準となる映像音声符号化情報３００ａとの比較対照となる映像音声符号化情報３００ｂを蓄積部２０７から読み出し、映像音声復号化部２０１にて復号化処理を行ない、時刻情報３０２（以後３０２ｂとする）と音声復号化情報３０３（以後３０３ｂとする）を抽出して編集部２０２に供給する。編集部２０２では、前記時刻情報３０２ａと３０２ｂを元に、記録時刻が重複している範囲に対して音声復号化情報３０３ａと３０３ｂとのパタン一致比較を行ない、映像音声符号化情報３００ａと３００ｂの時刻差情報を抽出する。編集部２０２は時刻差情報を元に、時刻基準となる映像音声符号化情報３００ａとの時刻差分だけ映像音声符号化情報３００ｂの時刻情報を変更し、時刻基準となる映像音声符号化情報３００ａと時刻的に一致した映像音声符号化情報３０６（以後３０６ｂとする）を生成して、蓄積部２０２に供給する。蓄積部２０７は、映像音声符号化情報３０６ｂを蓄積する。その際に、元のデータである映像音声符号化情報３００ｂは破棄しても良い。
【００１５】
メニュー生成部２０３は、時刻情報３０２ａ、３０２ｂ及び時刻差情報を元に、メニュー画面情報を生成するブロックである。音声映像出力部２０４は、蓄積部２０７から読み出した映像音声符号化情報３００を元に映像音声復号化部にて復号化処理を行なった映像復号化情報をモニタ２０５に表示し、また音声復号化情報をスピーカ２０６に出力するブロックである。
【００１６】
映像音声符号化情報３００ｃに関しては、映像音声符号化情報３００ｂと同様の処理を行なうことで、時刻基準となる映像音声符号化情報３００ａと時刻的に一致した映像音声符号化情報３０６（以後３０６ｃとする）を生成することが可能である。
【００１７】
図５は、図４における編集部２０２の詳細な一例である。映像音声符号化情報３０６ｂ生成時を例に説明する。時刻情報３０２ａ、３０２ｂを比較して、同一時刻範囲のデータ範囲指定部２０７にて、音声復号化情報３０３ａ、３０３ｂの同一時刻範囲全てまたは一部の切り出しを行なう。切出した音声復号化情報４００（以後、音声復号化情報３０３ａ、３０３ｂに対応する情報をそれぞれ４００ａ、４００ｂとする）を帯域通過フィルタ２０８に入力する。帯域通過フィルタ２０８では、音声復号化情報４００ａ、４００ｂの一部周波数帯域のみ抽出し、レベル閾値フィルタ２０９に入力する。ここで帯域通過フィルタ２０８において抽出された音声復号化情報を、音声復号化情報４０１（以後、音声復号化情報３０３ａ、３０３ｂに対応する情報をそれぞれ４０１ａ、４０１ｂとする）とする。レベル閾値フィルタでは、音声復号化情報４０１ａ、４０１ｂのうち、所定のレベルに限定して抽出するブロックであり、抽出後の音声復号化情報４０２（以後、音声復号化情報３０３ａ、３０３ｂに対応する情報をそれぞれ４０２ａ、４０２ｂとする）を抽出情報保持部２１０に一時的に記録する。パタンマッチング部２１１は、抽出情報保持部２１０に記録された音声復号化情報４０３（以後、音声復号化情報３０３ａ、３０３ｂに対応する情報をそれぞれ４０３ａ、４０３ｂとする）を読み出し、パタンマッチング処理を行い、映像音声符号化情報３００ａと３００ｂの時刻差分情報３０４（以後、音声復号化情報３０３ａに対する３０３ｂの時刻差分情報を３０４ｂとする）を抽出する。時刻差分情報３０４ｂが示す時刻差分だけ、映像音声符号化情報３００ｂの時刻情報を変更し、変更後の映像音声符号化情報３０６ｂを蓄積部２０７に蓄積する。この際に変更前の映像音声符号化情報３００ｂは蓄積部２０７から削除しても良い。また、メニュー生成部２０３から供給されるメニュー情報３０５、時刻差分情報３０４ｂ、３０４ｃ、映像音声符号化情報３００ａ、３００ｂ、３００ｃを元に、映像音声符号化データ群３０６を生成しても良い。映像音声符号化データ群３０６として、ＤＶＤ−ＶＲ規格や、ＢＤ規格等に沿ったデータ群がある。
【００１８】
メニュー部は、時刻差分情報３０４と時刻情報３０２を元にメニュー画情報を生成するブロックである。メニュー画の一例を図３に示す。図では、５種類の映像音声符号化情報３００ａ、３００ｂ、３００ｃ、３００ｄ、３００ｅに対するメニュー例である。タイトルＡ、Ｂ、Ｃ、Ｄ、Ｅが、それぞれ映像音声符号化情報３００ａ、３００ｂ、３００ｃ、３００ｄ、３００ｅに対応しており、横軸が時間となっている。生成したメニュー情報３０５は編集部２０２に供給される。
【００１９】
図２１は、メニュー画の別の一例である。本例では、横軸に時間をとっており、各映像音声符号化データの先頭の一部を動画サムネイル６０１ａ、６０１ｂとして表示することを特徴としている。
【００２０】
図６は、図４における編集部２０２の詳細な別の一例である。パタンマッチング行なう２種類の映像音声符号化情報３００ａ、３００ｂに対する前処理を一度に並列実行することが出来る。
【００２１】
図７は、映像音声符号化情報３００ａ、３００ｂ、３００ｃに対する音声復号化情報３０３ａ、３０３ｂ、３０３ｃのレベル図の一例を示した図である。レベル図２０ａ、２０ｂ、２０ｃは、横軸を時間、縦軸を音レベルとして、音声復号化情報３０３ａ、３０３ｂ、３０３ｃを図示したものである。また図中に、開始時刻２１ａ、２１ｂ、２１ｃ、終了時刻２２ａ、２２ｂ、２２ｃ、音レベルの触れが大きい時刻２３ａ、２３ｂ、２３ｃを示している。音レベルのパタン一致検出を行なうことで、前記音レベルの触れが大きい時刻２３ａ、２３ｂ、２３ｃが同一時刻であると判定し、音声復号化情報３０３ａに対する音声復号化情報３０３ｂ、３０３ｃの時刻差（時刻２３ａ−時刻２３ｂ）、（時刻２３ａ−時刻２３ｃ）を抽出する。
【００２２】
図８ａ、図８ｂは、同一時刻における音声レベルが異なる一例を示している。図９ａ、図９ｂは、図８ａ、図８ｂで示される映像音声符号化情報３００ａ、３００ｂを元に帯域通過フィルタ２０８で抽出した映像音声符号化情報４０１ａ、４０１ｂの一例を示している。この例では、特定の周波数帯域で比較すると、類似パタンになっており、その後のパタン一致検出の精度向上を図ることが出来る。
【００２３】
図８ａ、図８ｂは、図９ａ、図９ｂで示す映像音声符号化情報４０１ａ、４０１ｂを元に、レベル閾値フィルタ２０９で抽出した映像音声符号化情報４０２ａ、４０２ｂの一例を示している。この例では、特徴がある範囲を特定し、その後のパタン一致比較範囲を狭めることで、パタン一致比較処理軽減を図ることが出来る。
【００２４】
図１１は、電源ＯＮからメディアへの映像音声符号化データ群３０６記録までのフローの一例である。電源ＯＮ６０後、編集メニュー選択６１において、メニュー画選択６２、タイトル入力６３、サブタイトル入力６４、編集６５、メディア書込６８のいずれかを選択する。
【００２５】
図３は、図１１のフローを用いた編集を行なうことで作成するメニュー画の一例である。メニュー画選択６２では、準備された複数のメニュー画テンプレートの中から作成したいメニュー画を選択する。選択後、作成中のメニュー画に反映させる。タイトル入力６３では、あらかじめ準備されたタイトルの中からの選択、または編集者がタイトルを文字入力する。選択または入力後、作成中のメニュー画に反映させる。サブタイトル入力６４では、あらかじめ準備されたサブタイトルの中からの選択、または編集者がサブタイトルを文字入力する。選択または入力後、作成中のメニュー画に反映させる。その後、記録装置から映像音声符号化データを入力し、記録部に取込む。記録装置の一例として、ビデオカメラや携帯電話がある。また、取込時に開始時刻及び終了時刻を抽出し、作成中のメニュー画に反映させる。編集６５は、サブタイトル毎に、先頭のサブタイトルに対応する映像音声符号化データとの時刻差を抽出し、先頭のサブタイトルに対応する映像音声符号化データ以外のサブタイトルに対応する映像音声符号化データの時刻情報を補正し、先頭のサブタイトルに対応する映像音声符号化データと時刻的に同期した映像音声符号化データに変換する。メディア書込み６８では、編集前または編集後の映像音声符号化データ及び、生成したメニュー情報をメディアに書き込む。
【００２６】
図１２は、図１１で示す編集６５の詳細を示す一例である。時刻ズレ検出７０後、時刻補正７２を実施し、先頭のサブタイトルに対応する映像音声符号化データと時刻的に同期した映像音声符号化データに変換するほかに、GOP構造解析を行い、同一GOP構造となるように再符号化処理またはデータ分割処理を行い、記録メディアの規格に準拠した映像音声符号化データを作成し、作成情報を用いて記録メディアの規格に準拠した記録メディアを作成してもよい。記録メディアの一例として、ＤＶＤ−Ｖｉｄｅｏ規格のマルチアングルがある。また、記録メディアに準拠したメニュー情報を作成することで、メニュー画の記録メディアへの書き込みも可能である。
【００２７】
図１３は、図１２で示す時刻ズレ検出７０の詳細な一例を示す図である。
【００２８】
図１４は、取込み６６の詳細な一例を示す図である。
【００２９】
図１５は、メニュー画の別の一例である。タイトルＣに対応する映像音声符号化データが、複数日に渡り記録されており、更に同日中に複数記録データが存在する場合において、作成中のメニュー画中に全ての映像音声符号化データ状況を表示している。ここでは、このうち特定の映像音声符号化データ１０３ｃ１を選択し、決定ボタン１０５を選択すると、図１６で示す作成中のメニュー画に表示画変わる。
【００３０】
図１７は、連続再生用のメニュー画の一例を示した図である。連続再生１０７ａは、記録時間が長いものを優先的に選択することを特徴とする。連続再生１０７ｂは、記録開始されたものに優先的に切替、記録終了時には、それ以降記録時間が存在するものの中で、その直前に再生していたものを選択することを特徴としている。連続再生１０７ｃは、最初に開始したものを最優先とし、その後は記録が長いものを優先的に選択することを特徴とする。
【００３１】
図１８は、同一時刻に３種類の映像音声符号化データが存在する状況において、通常５００ａを再生中に、特定のボタンを押した場合、同一時刻で記録されている２種類の映像音声符号化データを動画サムネイル５０１ｂ、５０２ｂにて表示している表示画面を示したものである。図１９は、図１９で示す動画サムネイルのうち、動画サムネイル５０１ｂを選択した場合に表示される表示画面を示している。
【００３２】
以上、複数の記録済みビデオカメラデータを編集または記録する映像音声符号化データ編集装置において、各データの時刻差を検出し、データの時刻情報を補正することを可能とするシステム、方法及び機器に関する本発明の好適な実施例について説明した。また、補正後の映像音声符号化データを再生し、複数同時にモニタに表示することを可能とするシステム、方法及び機器に関する本発明の好適な実施例について説明した。
【００３３】
本発明によれば、少なくとも２種類の映像音声符号化データの復号化処理を行ない、各映像音声符号化データに対する時刻情報及び復号化音声情報及び復号化音声レベル情報を抽出し、復号化音声レベル情報のパタン一致比較による各復号化音声情報の時刻差抽出を行ない、時刻差を元に前記時刻情報を補正した映像音声符号化データを生成することで、時刻的に同期の取れた映像音声符号化データを生成し、時刻的に同期の取れた同時表示を実現するシステム、方法及び機器の提供を可能とする。
【符号の説明】
【００３４】
２０１    映像音声復号化部
２０２    編集部
２０３    メニュー生成部
２０４    映像音声出力部
２０５    モニタ
２０６    スピーカ
２０７    蓄積部
３００    映像音声符号化データ
３０１    映像音声符号化データ
３０２    時刻情報
３０３    音声復号化情報
３０４    時刻差分情報
３０５    メニュー情報
３０６    映像音声符号化情報
３０７    映像出力データ
３０８    音声出力データ
３０９    映像データ及び音声データ
【図１】
2011229166.tif 000003
【図２】
2011229166.tif 000004
【図３】
2011229166.tif 000005
【図４】
2011229166.tif 000006
【図５】
2011229166.tif 000007
【図６】
2011229166.tif 000008
【図７】
2011229166.tif 000009
【図８】
2011229166.tif 000010
【図９】
2011229166.tif 000011
【図１０】
2011229166.tif 000012
【図１１】
2011229166.tif 000013
【図１２】
2011229166.tif 000014
【図１３】
2011229166.tif 000015
【図１４】
2011229166.tif 000016
【図１５】
2011229166.tif 000017
【図１６】
2011229166.tif 000018
【図１７】
2011229166.tif 000019
【図１８】
2011229166.tif 000020
【図１９】
2011229166.tif 000021
【図２０】
2011229166.tif 000022
【図２１】
2011229166.tif 000023
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
互いに記録開始時刻が異なる複数の動画データを格納する記録手段と、
前記複数の動画データのいずれか一の再生映像を表示するとともに、前記一の動画データの再生中に、前記複数の動画データのうち少なくとも記録開始時刻順で前記再生中の動画データの次の開始時刻に記録された動画データをサムネイル表示し、前記サムネイル表示が選択された場合、前記サムネイル表示された動画データの再生映像を表示する表示手段と、
を有することを特徴とする電子機器。
【請求項２】
請求項１記載の電子機器であって、
前記複数の動画データのうち記録開始時刻順で前記再生中の動画データの次の開始時刻に記録された動画データのサムネイル表示は、前記一の動画データの再生中のユーザからの指示情報に基づいて表示されることを特徴とする電子機器。
【請求項３】
請求項１又は２記載の電子機器であって、
前記一の動画データの再生中にサムネイル表示される動画データは、前記複数の動画データのうち記録開始時刻順で前記再生中の動画データの次の開始時刻に記録された動画データの他にも一以上あることを特徴とする電子機器。
【請求項４】
請求項１乃至３のいずれかに記載の電子機器であって、
前記複数の動画データは、同一時刻で記録された部分を含むことを特徴とする電子機器。
【請求項５】
請求項４記載の電子機器であって、
前記複数の動画データは、前記動画データの音声情報を用いて時刻的に同期の取れた動画データであることを特徴とする電子機器。
【請求項６】
請求項１乃至５のいずれかに記載の電子機器であって、
前記複数の動画データは同一のイベントを記録したものとして格納された動画データであることを特徴とする電子機器。
【手続補正３】
【補正対象書類名】明細書
【補正対象項目名】０００１
【補正方法】変更
【補正の内容】
【０００１】
本発明は電子機器に関する。